(57)【要約】【課題】搬送ローラ軸とガイド板の間の僅かな隙間に記録用紙が入り込むことを防止し、紙詰まり発生時などの際に入り込んだ記録用紙を容易に取り出すことができるようにする。【解決手段】駆動ローラ２１０、従動ローラ２２０、駆動ベルト２３０を備える搬送部材と、搬送部材の移送方向下流側に隙間Ｄを開けて配置されたガイド板３００とを備え、記録用紙Ｓを移相する用紙搬送装置２００において、従動ローラ２２０の軸部材２２１にストッパ部材４００を配置して、用紙搬送装置２００とガイド板３００の上側ガイド板２８０との間に架け渡し、隙間Ｄに記録用紙Ｓが入り込むのを防止する。【選択図】図１
2010024029.tif 000002
【特許請求の範囲】
【請求項１】
所定方向に駆動される駆動部材を備え接触している用紙を移動させる搬送部材と、前記搬送部材の移送方向下流側に前記搬送部材と間隔を開けて配置され、搬送された前記用紙を案内するガイド板とを備え、用紙を所定の個所から次の個所に移送させる用紙搬送装置において、
前記搬送部材と前記ガイド板の間には、搬送部材とガイド部材との間にかけて架け渡され、前記搬送部材とガイド板との間に搬送中の用紙が入り込むことを防止するストッパ部材を配置したことを特徴とする用紙搬送装置。
【請求項２】
前記搬送部材は搬送方向と直交する方向に配置された軸部材を備え、複数の搬送ローラ又は搬送ベルトが前記軸部材に間隔を開けて配置され、前記ストッパ部材は、これらの搬送ローラ又は搬送ベルトの間に配置されていることを特徴とする請求項１記載の用紙搬送装置。
【請求項３】
前記ストッパ部材は前記軸部材に取り付けられる取付部及びこの取付部から延設される延設部とからなる合成樹脂製部材であり、前記取付部は弾性的に変形可能であり、前記軸部材に着脱自在に配置されるものであることを特徴とする請求項１又は２記載の用紙搬送装置
【請求項４】
前記ストッパ部材は、前記ガイド板に固着される基部と、前記基部から前記軸部材の近傍にまで延設される延設部とを備えて構成されることを特徴とする請求項１又は２記載の用紙搬送装置。
【請求項５】
請求項１乃至４のいずれか記載の用紙搬送装置を備えることを特徴とする画像形成装置。
【請求項６】
定着装置を備えて構成され、前記用紙搬送装置は、前記定着装置の上流側に配置されていることを特徴とする請求項５記載の画像形成装置。
【発明の詳細な説明】
【技術分野】
【０００１】
本発明は用紙搬送装置及び画像形成装置に係り、特に所定方向に駆動される駆動部材を備え接触している用紙を移動させる搬送部材と、前記搬送部材の移送方向下流側に前記搬送部材と間隔を開けて配置され、搬送された前記用紙を案内するガイド板とを備え、用紙を所定の個所から次の個所に移送させる用紙搬送装置及びこの用紙搬送装置を備える画像形成装置に関する。
【背景技術】
【０００２】
画像形成装置などの装置において、原稿、記録用紙等の用紙は用紙搬送装置により所定の個所から次の個所に搬送されている。このような用紙搬送装置は、複数のガイド板で構成される搬送経路と、複数の回転駆動するローラやベルトを備えており、搬送経路内において、用紙を搬送するものである。
【０００３】
図１１は用紙紙搬送装置を備える画像形成装置の用紙搬送系の概略構成を示す断面図、図１２は従来の用紙搬送装置の概略構成を示すものであり、（ａ）は断面図、（ｂ）は概略底面図である。画像形成装置１００は、図１１に示すように、給紙バンク１１０、レジストユニット１２０、反転排紙ユニット１３０を備えている。そして、反転排紙ユニット１３０には、定着ユニット１４０及び本発明の対象となる用紙搬送装置１５０が配置されている。また、画像形成装置１００は、イエロー、マゼンタ、シアン、ブラックの像担持体１５０Ｙ，１５０Ｍ，１５０Ｃ，１５０Ｂｋ、中間転写ベルト１６１を備えた中間転写装置１６０を備えている。像担持体１５０Ｙ，１５０Ｍ，１５０Ｃ，１５０Ｂｋで形成されたトナー像は、中間転写ベルト１６１に転写され、給紙バンク１１０からの記録用紙Ｓは、中間転写装置１６０に搬送され、前記中間転写ベルト１６１のトナー像が転写され、定着ユニット１４０で定着され、用紙搬送装置１５０で、機外に排紙される。
【０００４】
そして、用紙搬送装置１５０は、図１２に示すように、下流側ガイド板１５７からの記録用紙Ｓを上流側ガイド板１５８まで搬送するものである。用紙搬送装置１５０は、駆動ローラ１５１と、従動ローラ１５２と、駆動ローラ１５１及び従動ローラ１５２に架け渡された駆動ベルト１５３とを備える。また、駆動ベルト１５３には、搬送中の記録用紙Ｓに当接して冷却する冷却ローラ１５４、駆動ローラ１５１及び従動ローラ１５２にそれぞれ対応して配置される当接ローラ１５５，１５６を備えている。
【０００５】
このような用紙搬送装置１５０では、従動ローラ１５２及びこの表面に配置される駆動ベルト１５３は回転駆動されているため、従動ローラ１５２と上流側ガイド板１５８とは密着させることができず、これらの部材の間には僅かな寸法の隙間Ｄが形成される。このため、図１２（ａ）に示すように記録用紙Ｓが従動ローラ１５２と上流側ガイド板１５８との隙間Ｄに入り込む（図中符号Ｓ１）。このような記録用紙Ｓの巻き込みは、記録用紙Ｓの両面に印刷を実行した場合起こりやすい。このような場合巻き込まれた記録用紙Ｓ１を取り外すことには非常に手間がかかることになる。なお、記録用紙Ｓは上流側ガイド板１５８に搬送される際、当接ローラ１５６側にも入り込む（図中Ｓ２）こともあるが、この場合には用紙搬送装置１５０を覆うカバー（図示していない）を取り外すことにより機外から容易に取り外すことができる。
【０００６】
このような記録用紙の巻き込みを防止するため、さまざまな提案がなされている。特許文献１には、プリンタ内蔵の機器本体と、機器本体に取り付けられてロール状の記録用紙を繰り出し可能に保持する用紙ホルダーと、機器本体と用紙ホルダーとの間に架け渡される巻き込み防止ガイドとからなり、巻き込み防止ガイドの機器本体側端部は、給紙口と排紙口との中間位置に着脱自在に係止され、一方、巻き込み防止ガイドの用紙ホルダー側端部は、用紙ホルダーの支持軸部に回動自在又は着脱自在に係止される巻き込み防止機構ものが記載されている。
【０００７】
また、特許文献２には、用紙を搬送するために回転されるプラテンローラと、そのプラテンローラ上で用紙に印字を行う印字部を備え、用紙はプラテンローラに供給され、該ローラの周面に沿って湾曲しながら搬送され、ローラ周面から離脱して排紙されるプリンタにおいて、用紙搬送経路には、前記離脱位置よりもプラテンローラの回転方向下流側の周面に対向する対向面と、用紙排紙側に向かって傾斜した案内面とを有するリブが、互いに間隔を開けてプラテンローラの軸線方向に複数並べて設けられたブロック体が配設されるものが記載されている。
【特許文献１】特開２００１−２３３５１９公報
【特許文献２】特開２００３−２７６２６２公報
【発明の開示】
【発明が解決しようとする課題】
【０００８】
前述したように、従来の用紙搬送装置にあっては、搬送ローラやガイド板との間に隙間が形成されているため、例えば用紙ジャムなどが発生した場合、用紙が前記隙間の奥に入り込むことがあり、このような場合記録用紙を取り出すのは容易ではなく、記録用紙を取り除くには、ガイド板や搬送ローラを分解しなければならず、作業効率が悪いという問題がある。
【０００９】
本発明は、搬送ローラ軸とガイド板の間の僅かな隙間に記録用紙が入り込むことを防止し、紙詰まり発生時などの際入り込んだ記録用紙を容易に取り出すことができる用紙搬送装置及び画像形成装置を提供することを目的とする。
【課題を解決するための手段】
【００１０】
請求項１の発明は、所定方向に駆動される駆動部材を備え接触している用紙を移動させる搬送部材と、前記搬送部材の移送方向下流側に前記搬送部材と間隔を開けて配置され、搬送された前記用紙を案内するガイド板とを備え、用紙を所定の個所から次の個所に移送させる用紙搬送装置において、前記搬送部材と前記ガイド板の間には、搬送部材とガイド部材との間にかけて架け渡され、前記搬送部材とガイド板との間に搬送中の用紙が入り込むことを防止するストッパ部材を配置したことを特徴とする用紙搬送装置である。
【００１１】
請求項２の発明は、請求項１記載の用紙搬送装置において、前記搬送部材は搬送方向と直交する方向に配置された軸部材を備え、複数の搬送ローラ又は搬送ベルトが前記軸部材に間隔を開けて配置され、前記ストッパ部材は、これらの搬送ローラ又は搬送ベルトの間に配置されていることを特徴とする。
【００１２】
請求項３の発明は、請求項１又は２記載の用紙搬送装置において、前記ストッパ部材は前記軸部材に取り付けられる取付部及びこの取付部から延設される延設部とからなる合成樹脂製部材であり、前記取付部は弾性的に変形可能であり、前記軸部材に着脱自在に配置されるものであることを特徴とする。
【００１３】
請求項４の発明は、請求項１又は２記載の用紙搬送装置において、前記ストッパ部材は、前記ガイド板に固着される基部と、前記基部から前記軸部材の近傍にまで延設される延設部とを備えて構成されることを特徴とする。
【００１４】
請求項５の発明は、請求項１乃至４のいずれか記載の用紙搬送装置を備えることを特徴とする画像形成装置である。
【００１５】
請求項６の発明は、請求項５画像形成装置において、定着装置を備えて構成され、前記用紙搬送装置は、前記定着装置の上流側に配置されていることを特徴とする。
【発明の効果】
【００１６】
本発明によれば、搬送部材とガイド板の間に搬送部材とガイド部材との間にかけて架け渡され前記搬送部材とガイド板との間に搬送中の用紙が入り込むことを防止するストッパ部材を配置したので、搬送ローラ軸とガイド板との間の隙間へ用紙が入り込むことが防止され、ジャム発生時などの際に用紙を容易に取り除くことができるようになる。
【発明を実施するための最良の形態】
【００１７】
以下本発明を実施するための最良の形態としての実施例を図面に基づいて説明する。
【実施例】
【００１８】
以下第１の実施例に係る用紙搬送装置及び画像形成装置について説明する。本例に係る用紙搬送装置２００は、従来例で示した画像形成装置１００にそのまま適用される。図１は実施例に係る用紙搬送装置の概略構成を示すものであり、（ａ）は断面図、（ｂ）は底面図、図２は用紙搬送装置の要部を示す斜視図、図３は用紙搬送装置の拡大斜視図である。
【００１９】
用紙搬送装置１５０は、図１（ａ）に示すように、下流側ガイド板２７０からの記録用紙Ｓを上流側ガイド板３００まで搬送するものである。本例では上流側ガイド板３００は、上側ガイド板２８０と下側ガイド板２９０とで構成されている。また、用紙搬送装置２００は、下流側ガイド板１５７からの記録用紙Ｓを上流側ガイド板１５８まで搬送するものである。用紙搬送装置２００は、駆動ローラ２１０と、従動ローラ２２０と、前記駆動ローラ２１０及び従動ローラ２２０に架け渡された駆動ベルト２３０とを備える。また、駆動ベルト２３０には、搬送中の記録用紙Ｓに当接して冷却する冷却ローラ２４０、駆動ローラ２１０及び従動ローラ２２０にそれぞれ対応して配置される搬送ベルトに当接ローラ２５０，２６０を備えている。ここで、従動ローラ２２０と下側ガイド板２９０との間には隙間Ｄが形成されている。
【００２０】
なお、本例では当接ローラ２６０は、当接ローラ２６０を従動ローラ２２０側に付勢する付勢部材２８１を介して上側ガイド板２８０に取り付けられ、上側ガイド板２８０は、軸３１０を中心に取手３２０を操作することにより上方（図中矢印Ａ）に回動できる。また、下側ガイド板２９０には、従動ローラ２２０に近接した位置に従動ローラ２２０と反対側に向け膨出形成された段部２９１が形成されている。
【００２１】
そして、本例では、従動ローラ２２０との軸部材２２１には、ストッパ部材４００が配置されている。このストッパ部材４００は、隙間部搬送部材である従動ローラ２２０と上流側ガイド板３００の下側ガイド板２９０との間にかけて架け渡される。また、ストッパ部材４００は、複数並設されている従動ローラ２２０の間に複数個必要な数だけ配置される。
【００２２】
図４は用紙搬送装置のストッパ部材を示すものであり、（ａ）は斜視図、（ｂ）は平面図である。ストッパ部材４００は合成樹脂製の部材であり、従動ローラ２２０の軸部材２２１にはめ込まれる一部を切り欠いた環状の取付部４１０と、この取付部４１０から突出形成されるガイド部４２０とからなる。本例ではガイド部４２０は薄板状に形成され、その上縁部４３０が肉厚で平面弧状に形成されている。ストッパ部材４００の取付部４１０を軸部材２２１にはめ込みんで、その先端部４４０を下側ガイド板２９０の段部２９１に配置して用紙搬送装置２００に取り付けるものとしている。このようにしてストッパ部材４００のガイド部４２０を従動ローラ２２０と下側ガイド板２９０との間の隙間Ｄに架け渡し、記録用紙Ｓが従動ローラ２２０と下側ガイド板２９０との間に入り込むのを防止している。また、用紙搬送装置では、記録用紙Ｓが隙間に入り込みストッパ部材４００に接触した場合であっても紙詰まりをおこすことなく上側ガイド板２８０側に搬送されるときがあるので、そのような場合でも、記録用紙Ｓの印刷面への損傷を軽減するよう、ストッパ部材４００の形状を選択している。なお、ストッパ部材４００の形状は、この実施形態の形状に限られるものではなく、ガイド板の形状やレイアウトによって適宜最適な形状とすることができる。
【００２３】
次に本実施例に係る用紙搬送装置の作動について説明する。図５及び図６は実施例に係る用紙搬送装置の作動を示す断面図である。記録用紙Ｓが正常に搬送されているときには、図５に示すように、記録用紙Ｓは従動ローラ２２０と当接ローラ２６０との間から上側ガイド板２８０と下側ガイド板２９０との間に搬送される（矢印Ｂ）。このとき、記録用紙Ｓは、ストッパ部材４００に当接することなく、印刷面に損傷を与えることがない。
【００２４】
また、記録用紙Ｓが何らかの理由で、従動ローラ２２０と下側ガイド板２９０の間に入り込んでも、図６に示すように、記録用紙Ｓがストッパ部材４００で従動ローラ２２０と下側ガイド板２９０との隙間に入り込むことが阻止される。また、上述のように、記録用紙Ｓが隙間Ｄに入り込んでも紙詰まりを発生することなく上流側ガイド板３００に搬送される場合があり、このような場合にも記録用紙Ｓの印刷面を傷つけることを防止できる。なお、本例では、下流側ガイド板２７０及び上側ガイド板２８０には用紙センサ４５０，４６０が配置されており、用紙センサ４５０で用紙の先端通過を検知し、検知した時点から所定時間経過後に用紙センサ４６０で用紙先端が検知されない場合には紙詰まりと判断する。
【００２５】
このため、本例に係る用紙搬送装置によれば、従動ローラ２２０と上側ガイド板２８０との間に記録用紙Ｓが入り込んだとしても、ストッパ部材４００で隙間への進入が阻止され、記録用紙Ｓは隙間の奥に進入しないので、記録用紙Ｓは矢印Ｃの方向に容易に取り出すことができ、紙詰まり解消の手間が軽減されることとなる。また、本例に係るストッパ部材４００は既存の画像形成装置の用紙搬送装置に配置することができる。このため、既存の用紙搬送装置においても紙詰まりの解消を容易なものとすることができる。
【００２６】
図７は実施例に係る用紙搬送装置の変形例の概略構成を示す断面図である。本例に係る用紙搬送装置５００は、ストッパ部材の５１０の構成が異なる外、基本的な構成を前記第１の実施例に係る用紙搬送装置と同一としている。このため、第１の実施例に係る用紙搬送装置２００と同一部分、部材には同一の符号を附してその説明は省略する。
【００２７】
本例に係るストッパ部材６００は、従動ローラ２２０の軸部材２２１に係止されると共に、下側ガイド板２９０の突出部２９２に係合され、従動ローラ２２０と下側ガイド板２９０の隙間Ｄに架け渡される。図８は実施例に係る用紙搬送装置のストッパ部材の変形例を示すものであり、（ａ）は斜視図、（ｂ）は平面図である。本例に係るストッパ部材６００は合成樹脂製の部材であり、従動ローラ２２０の軸部材２２１に回し掛けられる一部切り欠き環状の取付部６１０と、この取付部６１０から突出形成されるガイド部６２０とからなる。本例では、ガイド部６２０の上縁部６３０は肉厚で且つ平面弧状に形成されている他、その先端部に係合凹部６４０が形成され、この係合凹部６４０が下側ガイド板２９０の突出部２９２に係合する。本例に係る用紙搬送装置５００も、ストッパ部材６００で従動ローラ２２０と下側ガイド板２９０との間隙に記録用紙Ｓが入り込むのを防止でき、紙詰まり時における記録用紙Ｓの取り出し処理を容易にすることができる。
【００２８】
次に第２実施例に係る用紙搬送装置７００について説明する。図９は第２実施例に係る用紙搬送装置の概略構成を示す断面図である。本例は、ストッパ部材７１０を下側ガイド板２９０側に固定するようにした以外は、基本的な構成を前記第１の実施例に係る用紙搬送装置と同一である。このため、第１の実施例に係る用紙搬送装置２００と同一部分、部材には同一の符号を附してその説明は省略する。
【００２９】
本例において、ストッパ部材７１０は、金属製の丸棒状部材を湾曲形成してストッパ部材７１０を形成している。そして、ストッパ部材７１０の一端部７１１を下側ガイド板２９０板に溶接して取り付け、他端７１２を軸部材２２１に接触しないように配置し、ストッパ部材７１０を駆動ローラ２１０と下側ガイド板２９０の隙間Ｄに架け渡すものとしている。
【００３０】
次に第２実施例の変形例に係る用紙搬送装置８００について説明する。図１０は第２実施例の変形例に係る用紙搬送装置の概略構成を示す断面図である。本例は、ストッパ部材８１０の形状を変更したものである。本例において、ストッパ部材８１０は、丸棒状を湾曲形成して構成し、ストッパ部材８１０の一端部８１１を下側ガイド板２９０板に溶接して取り付け、他端部８１２を軸部材２２１の周囲に接触しないように巻き掛けるように形成し、ストッパ部材８１０を駆動ローラ２１０と下側ガイド板２９０の隙間Ｄに架け渡す形状としている。
【図面の簡単な説明】
【００３１】
【図１】実施例に係る用紙搬送装置の概略構成を示すものであり、（ａ）は断面図、（ｂ）は底面図である。
【図２】用紙搬送装置の要部を示す斜視図である。
【図３】用紙搬送装置の拡大斜視図である。
【図４】用紙搬送装置のストッパ部材を示すものであり、（ａ）は斜視図、（ｂ）は平面図である。
【図５】実施例に係る用紙搬送装置の作動を示す断面図である。
【図６】実施例に係る用紙搬送装置の作動を示す断面図である。
【図７】実施例に係る用紙搬送装置の変形例の概略構成を示す断面図である。
【図８】変形例のストッパ部材の構成を示すものであり、（ａ）は斜視図、（ｂ）は平面図である。
【図９】第２実施例に係る用紙搬送装置の概略構成を示す断面図である。
【図１０】第２実施例の変形例に係る用紙搬送装置の概略構成を示す断面図である。
【図１１】用紙紙搬送装置を備える画像形成装置の用紙搬送系の概略構成を示す断面図である。
【図１２】従来の用紙搬送装置の概略構成を示すものであり、（ａ）は断面図、（ｂ）は概略底面図である。
【符号の説明】
【００３２】
２００  用紙搬送装置
２１０  駆動ローラ
２２０  従動ローラ
２２１  軸部材
２３０  駆動ベルト
２４０  冷却ローラ
２５０，２６０  当接ローラ
２７０  下流側ガイド板
２８０  上側ガイド板
２８１  付勢部材
２９０  下側ガイド板
２９１  段部
２９２  突出部
３００  上流側ガイド板
３１０  軸
３２０  取手
４００  ストッパ部材
４１０  取付部
４２０  ガイド部
４３０  上縁部
４４０  先端部
４５０，４６０  用紙センサ
５００  用紙搬送装置
６００  ストッパ部材
６１０  取付部
６２０  ガイド部
６３０  上縁部
６４０  係合凹部
７００  用紙搬送装置
７１０  ストッパ部材
７１１  一端部
７１２  他端
８００  用紙搬送装置
８１０  ストッパ部材
８１１  一端部
８１２  他端部
【図１】
2010024029.tif 000003
【図２】
2010024029.tif 000004
【図３】
2010024029.tif 000005
【図４】
2010024029.tif 000006
【図５】
2010024029.tif 000007
【図６】
2010024029.tif 000008
【図７】
2010024029.tif 000009
【図８】
2010024029.tif 000010
【図９】
2010024029.tif 000011
【図１０】
2010024029.tif 000012
【図１１】
2010024029.tif 000013
【図１２】
2010024029.tif 000014